(57)【要約】  視力回復装置の提供。本発明の一実施例は、目周囲の顔面に着用可能に形成されたハウジングが設けられ、前記ハウジングの内部に装着される一対の回転モジュールが設けられ、それぞれの回転モジュールにはレンズが設けられた視力回復装置であって、前記少なくとも一つの回転モジュールは、回転ディスク、前記回転ディスクに挿入される磁性体、及び前記ハウジングに設けられ、前記磁性体と対応する半径位置に設けられるセンサーモジュールを備える視力回復装置を提供する。
2019537492.tif 000002
【特許請求の範囲】
【請求項１】
目周囲の顔面に着用可能なように形成されたハウジングが設けられ、前記ハウジングの内部に装着される一対の回転モジュールが設けられ、それぞれの回転モジュールにはレンズが設けられた視力回復装置であって、
前記少なくとも一つの回転モジュールは、
回転ディスクと、
前記回転ディスクに挿入される磁性体と、
前記ハウジングに設けられ、前記磁性体と対応する半径位置に設けられるセンサーモジュールとを備える視力回復装置。
【請求項２】
前記回転ディスクに挿入孔が設けられ、前記磁性体は前記挿入孔に結合されることを特徴とする、請求項１に記載の視力回復装置。
【請求項３】
前記挿入孔の内周面には、前記挿入孔の長さ方向に沿って突出した突起部が、前記挿入孔の中心に向けて放射状に複数個設けられていることを特徴とする、請求項２に記載の視力回復装置。
【請求項４】
前記回転ディスクは、
前記支持フレームに設けられた回転軸上に回転支持され、前記回転軸を中心に、複数の異なる屈折率を持つレンズが所定の間隔で放射状に配置されていることを特徴とする、請求項２に記載の視力回復装置。
【請求項５】
前記複数のレンズのうち少なくともいずれか一つのレンズに対応する挿入孔が前記回転ディスクに埋設され、前記磁性体は前記挿入孔に結合されることを特徴とする、請求項４に記載の視力回復装置。
【請求項６】
前記回転ディスクの挿入孔に設置された少なくとも一つの磁性体は異なる磁力値を有するように設けられ、前記ホールセンサーは各レンズに対応する位置を認識可能に構成されることを特徴とする、請求項７又は８に記載の視力回復装置。
【請求項７】
前記磁性体は、所定長さを持つ柱状であり、その中空には円周に沿ってＮ極性及びＳ極性が少なくとも１回交互に配列され、前記回転軸の内周面に同軸状に固定結合されることを特徴とする、請求項１に記載の視力回復装置。
【請求項８】
前記センサーモジュールはホールセンサーからなり、
前記ホールセンサーは、前記磁性体の半径方向又は軸方向に離隔して配置されることを特徴とする、請求項７に記載の視力回復装置。
【発明の詳細な説明】
【技術分野】
【０００１】
本発明は視力回復装置に関し、より詳細には、ジオプター変換時に初期位置設定値の誤りの発生を防止することができる視力回復装置に関する。
【背景技術】
【０００２】
人の目は一種の凸レンズのような構造であり、外部の光が、目の拡大鏡である角膜・水晶体を通過すれば、拡大鏡の屈折作用によって、焦点距離の網膜に逆像が結ばれ、光はさらに網膜の鏡作用によって反射されて水晶体・角膜の拡大鏡を通過し、網膜の倒立像が再び拡大された正立像となることにより、脳は、目に見える外部世界と同じ拡大された正立の物事を認識するようになる。
【０００３】
この時、水晶体は、連結された毛様体の収縮及び弛緩作用によって、近い所を見る時は厚くなり、遠い所を見る時は正常の厚さとなるが、例えば、近い距離で長時間本を読んだりＴＶを見る場合、さらにはこれらを繰り返し行う場合は、厚くなった水晶体が元の状態に回復できず、近視となってしまう。このような近視患者の場合、視力回復のために、水晶体の厚くなった厚みに該当する分だけ補償するよう凹レンズ形のメガネを着用するが、メガネをかけると物がよく見えるので、水晶体の回復能力はさらに低下し、厚くなった状態が固着するという問題点があった。
【０００４】
一方、視情報処理機能は目と脳間の情報を処理するものであり、ビジョン機能という。すなわち、視情報処理機能とは、触覚、嗅覚、聴覚で入力された情報と、目から入力された情報を速かに脳に伝達し、このような情報を脳で統合して解釈することを指す。このような視情報処理機能は、距離感、速度感及び立体感などを認知する。
【０００５】
上記視情報処理機能は、視力の良し悪しに関係なく発生する。このような視情報処理機能に不具合が生じる場合、スポーツやレジャースポーツ活動が困難となったり、読書が困難となったり、注意集中力が低下したり、又は文章を書くことが困難となったりすることにつながり得る。このため、読書障害、乱読症、注意力欠乏障害、学習障害、書くことの困難又は社会生活障害などが生じることもある。
【０００６】
上記視情報処理機能は、眼球が発育する時期や、視覚を使用しすぎる場合（宿題、読書、コンピュータ及びテレビ視聴）などによって発生することもある。このような視情報処理機能には両眼視異常と調節障害などがある。
【０００７】
両眼視異常は、瞳を支持する外眼筋が正常に作用できないことから発生し、調節障害は、水晶体の収縮及び拡張が正常にできない時に発生し得る。
【０００８】
そこで、視力改善のための装置として、眼球の前方に配置されるレンズのジオプターを変更しつつ訓練することによって筋力強化を図る視力回復装置が提案されている。
【０００９】
しかしながら、従来の視力回復装置では、ジオプター変換のために様々な駆動モーターを用いて回転させる過程でジオプターレンズの初期位置値設定に誤りが発生し、装置の誤作動を招く問題があった。
【発明の概要】
【発明が解決しようとする課題】
【００１０】
本発明は、前述した従来技術の問題点を解決するためのものであり、その目的は、視力に合わせて加工したメガネを別に具備することなく、着用者それぞれの視力を容易に回復させることができる視力回復装置を提供することにある。
【課題を解決するための手段】
【００１１】
上記のような目的を達成するために、本発明の一側面は、目周囲の顔面に着用可能なように形成されるハウジングが設けられ、該ハウジングの内部に装着される一対の回転モジュールが設けられ、それぞれの回転モジュールにはレンズが設けられた視力回復装置であって、前記少なくとも一つの回転モジュールは、回転ディスク、前記回転ディスクに挿入される磁性体、及び前記ハウジングに設けられ、前記磁性体と対応する半径位置に設けられるセンサーモジュールを備える視力回復装置を提供する。
【００１２】
一実施例において、前記回転ディスクに挿入孔が設けられ、前記磁性体は前記挿入孔に結合され得る。
【００１３】
一実施例において、前記挿入孔の内周面には、前記挿入孔の長さ方向に沿って突出した突起部が、前記挿入孔の中心に向けて放射状に複数個設けられ得る。
【００１４】
一実施例において、前記回転ディスクは、前記支持フレームに設けられた回転軸上に回転支持され、前記回転軸を中心に、複数の異なる屈折率を持つレンズが所定の間隔で放射状に配置され得る。
【００１５】
一実施例において、前記複数のレンズのうち少なくともいずれか一つのレンズに対応する挿入孔が前記回転ディスクに埋設され、前記磁性体は前記挿入孔に結合され得る。
【００１６】
一実施例において、前記回転ディスクの挿入孔に設置された少なくとも一つの磁性体が個別の磁力値を有するように形成されることにより、前記ホールセンサーは各レンズに対応する位置を認識できるように構成され得る。
【００１７】
一実施例において、前記磁性体は所定長さを持つ柱状であり、前記中空には円周に沿ってＮ極性及びＳ極性が少なくとも１回以上交互に配列され、前記回転軸の内周面に同軸状に固定結合され得る。
【００１８】
一実施例において、前記センサーモジュールはホールセンサーからなり、前記ホールセンサーは前記磁性体の半径方向又は軸方向に離隔して配置され得る。
【発明の効果】
【００１９】
本発明の一側面によれば、ジオプター変換の時、初期位置設定値の誤り発生を防止することができる。
【００２０】
また、視力に合わせて加工したメガネを別に具備することなく、着用者それぞれの視力を容易に回復させることができるという効果がある。
【００２１】
本発明の効果は、上述の効果に限定されるものではなく、本発明の詳細な説明又は特許請求の範囲に記載された発明の構成から推論可能な全ての効果を含むものと理解しなければならない。
【図面の簡単な説明】
【００２２】
【図１】本発明の一実施例に係る視力回復装置の分解斜視図である。
【図２】図１のセンサーモジュール及び磁性体部分を拡大した図である。
【図３】図１の回転ディスクが分離された状態を示す斜視図である。
【図４】本発明の他の実施例に係る視力回復装置の斜視図である。
【図５】本発明のさらに他の実施例に係る視力回復装置の平面図である。
【図６】図５に適用された磁性体の内部を示す図である。
【発明を実施するための形態】
【００２３】
以下では添付の図面を参照して本発明を説明する。ただし、本発明は、様々な他の実施の形態も可能であり、ここに説明する実施例に限定されるものではない。そして図面において、本発明を明確に説明するために、説明と関係ない部分は省略し、明細書全体を通じて類似の部分には類似の図面符号を付ける。
【００２４】
明細書全体において、一つの部分が他の部分と“連結”されているとするとき、これは“直接的に連結”されている場合だけでなく、それらの間に更に他の部材を介して“間接的に連結”されている場合も含む。また、ある部分がある構成要素を“含む”とするとき、これは、特に反対の記載がない限り、他の構成要素を除外する意味ではなく、他の構成要素をさらに含んでもよいということを意味する。
【００２５】
以下、添付の図面を参照して、本発明の実施例を詳しく説明する。
【００２６】
図１は、本発明の一実施例に係る視力回復装置の分解斜視図であり、図２は、図１のセンサーモジュール及び磁性体部分を拡大した図であり、図３は、図１の回転ディスクが分離された状態を示す斜視図である。
【００２７】
図１〜図３に示すように、本発明の一実施例に係る視力回復装置は、目周囲の顔面に着用可能なように形成されたハウジング（図示せず）を備え、該ハウジングの内部に装着されて回転する一対の回転モジュール１０を備えることができる。
【００２８】
ここで、前記ハウジングは、一面には、ユーザの目周囲の輪郭形状に対応して完全に圧着し得る着座面（図示せず）を有し、他面には収容空間を有するように形成され、該収容空間に回転モジュール１０が装着され得る。
【００２９】
そして、ユーザの顔面に対応する内側面は曲面状であり、内側面には、一対の眼球に対応するそれぞれの領域に、所定の大きさで開放された一対の開口（図示せず）が設けられ、該一対の開口は、それぞれの円中心が軸線上に配置されることが好ましい。
【００３０】
回転モジュール１０は、一対の、回転ディスク１００，２００、磁性体１１及びセンサーモジュールＨを備えることができる。ここで、センサーモジュールＨは、磁性体１１の磁力値を測定可能な様々なセンサーを適用できるが、本実施例ではホールセンサーＨが適用された場合を示す。
【００３１】
それぞれの回転ディスク１００，２００は、後方側に配置される一対の後側支持フレーム１４０，２４０と、前方側に配置される一対の前側支持フレーム１５０，２５０との間にそれぞれ介在し得る。
【００３２】
本実施例の構成によれば、一対の回転ディスク１００，２００がそれぞれ、一対の支持フレーム１５０，２５０と一対の支持フレーム１４０，２４０との間に介在する構成を示しているが、いずれか一対の支持フレームだけが設けられ、該一対の支持フレームに回転可能に結合される一つの回転ディスクが設けられてもよい。
【００３３】
ただし、一対の回転ディスク１００，２００が設けられる場合、これらは対称の同一形状を有するので、説明の便宜上、いずれか一つの回転ディスク１００及び支持フレーム１４０，１５０を中心に説明する。
【００３４】
回転ディスク１００は円板状の一対からなり、互いに平行の回転軸１１０を有するように形成され得る。ここで、前記回転軸１１０は、支持フレーム１４０，１５０にヒンジ結合し得る。
【００３５】
また、本実施例において、支持フレーム１４０，１５０,２４０，２５０は前後方向に分離され、それらの間に回転軸１１０が介在する構成を示しているが、いずれか一方の支持フレームだけが構成され、この支持フレームに回転軸が結合してもよい。こうする場合には、言うまでもなく、一つの回転軸が使用される。
【００３６】
回転ディスク１００には、前記回転軸１１０を中心に複数の個別のジオプターレンズ（図示せず）が等間隔で放射状に配置され得る。図１及び図２には、説明の便宜上、それぞれのジオプターレンズが装着される孔１２０を示しており、それぞれの孔１２０には、対応する直径のジオプターレンズがそれぞれ装着され得る。
【００３７】
回転ディスク１００は、異なる度数を持つ複数のジオプターレンズがリボルバー式で１ステップずつ回転し得る。
【００３８】
例えば、５個のジオプターレンズが設けられる場合には、全部で５ステップを回転し得る。
【００３９】
この場合、ステップモーターを適用することが好ましい。すなわち、後述するように、センサーモジュールＨが磁性体１１の位置を検出する位置を、回転ディスク１００の初期位置値に設定でき、その後、回転ディスク１００の回転作動中に、前記ステップモーターによって１パルス（ｐｕｌｓｅ）当たり既設定の角度だけ回転するように設けることによって、１個の磁性体１１だけで回転ディスク１００の均等な回転角度を維持することができる。
【００４０】
本発明でいう１ステップとは、隣接ジオプターレンズに交番するステップを意味できる。リボルバー式で１ステップずつ回転して隣接ジオプターレンズに交番することから、本発明ではリボルバーレンズと呼ぶことができる。
【００４１】
ただし、ジオプターレンズの個数は使用環境によって異なり、これに限定されない。
【００４２】
一対の回転ディスク１００，２００は、連結フレーム１３０，２３０によって互いに近づいたり遠ざかる方向に移動し得る。
【００４３】
連結フレーム１３０，２３０は、一対の回転ディスク１００，２００間の一定間隔を可変させるためのものである。
【００４４】
具体的に、連結フレーム１３０，２３０は、一対の支持フレーム１４０，２４０の向かい合う面にそれぞれ形成され、且つ相互交差する位置に設けられ得る。
【００４５】
すなわち、上下に突出して配置された第１ラックギア１３１及び第２ラックギア２３１と、第１ラックギア１３１及び第２ラックギア２３１の間に噛み合って回転するように配置され、回転の際、第１ラックギア１３１と第２ラックギア２３１を相互反対方向に移動させるピニオンギア（図示せず）と、該ピニオンギアと一体に回転するように固定され、駆動モジュール（図示せず）の駆動軸に連結される連結ギア（図示せず）とを備えることができる。
【００４６】
例えば、図１及び図２に示すように、一つの連結フレーム１３０は、一対の支持フレーム１４０，２４０のいずれか一つの後側支持フレーム１４０の上部から水平に突出し、他の連結フレーム２３０はいずれか他の後側支持フレーム２４０の下部から水平に突出するように設けられ得る。
【００４７】
図示してはいないが、第１ラックギア１３１及び第２ラックギア２３１と噛み合うピニオンギアの回転によって、第１ラックギア１３１及び第２ラックギア２３１が互いに遠ざかったり近づくように移動することによって、ユーザの目の間隔に対応する調節が可能になる。
【００４８】
支持フレーム１４０，１５０，２４０，２５０は、相互結合すると同時に、回転ディスク１００の回転を支持する。
【００４９】
２個の回転ディスク１００，２００が適用される場合、支持フレーム１４０，２４０の一面には、回転ディスク１００，２００の回転を支持するためのヒンジ孔１４１，２４１が形成され、回転ディスク１００，２００の回転軸１１０，２１０がヒンジ孔１４１，２４１に結合した後、他の支持フレーム１５０，２５０が結合する。
【００５０】
支持フレーム１５０，２５０の前面には、回転軸１１０，２１０と同軸上に結合する駆動部材１６０，２６０が設けられ得る。
【００５１】
駆動部材１６０，２６０は、回転ディスク１００,２００を一方向又は他方向に回転させるための回転力を提供できる。ここで、駆動部材１６０，２６０にはステップモーターなどを適用でき、これによって正逆回転を実現することができる。
【００５２】
再び図１及び図２を参照して、説明の便宜上、いずれか一つの回転ディスク１００について説明すると、回転ディスク１００の厚さ方向に挿入される磁性体１１を備えることができる。このとき、磁性体１１は、複数のジオプターレンズのいずれか一つに近接した位置に設けられることが好ましい。このように磁性体１１の位置を設定することは、複数のジオプターレンズのいずれか一つの位置を基準値に設定するためであり、具体的な構成は次の通りである。
【００５３】
具体的に、回転ディスク１００には、複数のレンズのうち少なくともいずれか一つのレンズに対応する挿入孔１１ａが埋設され、磁性体１１は挿入孔１１ａに結合し得る。磁性体１１は挿入孔１１ａに圧入され、圧入される場合、挿入孔１１ａの内周面には、該挿入孔１１ａの長さ方向に沿って突出する突起部１１ｂが、該挿入孔１１ａの中心に向けて放射状に複数個設けられ得る。これによって、磁性体１１が前記挿入孔１１ａの内周面に強固に結合し得る。
【００５４】
磁性体１１には所定高さを持つ柱状の永久磁石などを適用でき、上記のように、外周面が挿入孔１１ａの内周面に当接するように挿入され、挿入孔１１ａに面接触して圧入され得るものであれば、その他にも様々な形状の一定の磁力を持つ素材が適用されてもよい。
【００５５】
センサーモジュールＨは、前記ハウジングの内側面に固定設置され得る。
【００５６】
センサーモジュールＨは前記ハウジングの内側面に取り付けられるが、回転ディスク１００が回転する過程でセンサーモジュールＨと磁性体１１とが向かい合う位置に設けられることが好ましい。
【００５７】
すなわち、センサーモジュールＨは、回転ディスク１００と磁性体１１が同時に回転する過程で磁性体１１とセンサーモジュールＨとが向かい合う位置にそれぞれ設置し、センサーモジュールＨの周囲に対して磁性体１１が近接したり遠ざかることが繰り返される過程により磁場の方向変化を検出し、ホール電圧の変化を測定することとなる。
【００５８】
この過程で変化する電気信号はアナログ信号又はデジタル信号に変換され、この信号の変換周期を用いてセンサーモジュールＨの周囲を動く磁性体１１の位置を測定するようになる。
【００５９】
上述の通り、回転ディスク１００の回転時に、センサーモジュールＨが磁性体１１と近接することによって回転ディスク１００の基準位置情報を得ることができる。
【００６０】
すなわち、回転ディスク１００の磁性体１１がセンサーモジュールＨに近接する瞬間を初期位置情報として設定することによって、回転ディスク１００の反復した正逆回転がなされても、磁性体１１の検出位置が初期位置であることを認識することができる。
【００６１】
これによって、ユーザが視力回復装置を使用する時、ユーザは回転ディスク１００を正方向又は逆方向に回転制御することによって、所望の度数のジオプターレンズを目に対応する位置に到達させ、視力矯正のための前記ジオプターレンズを選択する過程において回転ディスク１００の初期位置設定値を維持することができる。
【００６２】
その他にも、視力回復装置に供給される電源が突然切れても、以前に設定された回転ディスクの位置情報が損失されて誤作動することを防止することができる。
【００６３】
図４は、本発明の他の実施例に係る視力回復装置の斜視図である。
【００６４】
図４に示すように、回転ディスク２０上には厚さ方向に複数個の挿入孔２２，２３，２４，２５，２６が設けられている。
【００６５】
このとき、それぞれの挿入孔２１ａ，２２，２３，２４，２５，２６の内周面にはそれぞれの磁性体が挿入され得るが、説明の便宜上、磁性体が挿入されていない状態で示す。
【００６６】
挿入孔２２に近接して形成される挿入孔２１ａは、回転ディスク２０の初期位置として設定されるよう、両挿入孔２１ａ，２２が隣接して設置され得る。複数のジオプターレンズのいずれか一つのジオプターレンズに近接するように２個の挿入孔２１ａ，２２が設置されると、センサーモジュールは、これらの両磁性体によって生成される磁束密度を感知する位置を初期位置として設定することができる。
【００６７】
複数の挿入孔２２，２３，２４，２５，２６は、回転ディスク２０の回転軸２０ａを基準に半径方向外側に放射状に配置され得る。
【００６８】
この場合、ＤＣモーターが適用されることが好ましく、回転ディスク２０の回転時、その他の挿入孔２３，２４，２５，２６の間隔をそれぞれのジオプターレンズ区間角度として検出可能にする。
【００６９】
複数の挿入孔２２，２３，２４，２５，２６が適用される場合、各挿入孔２２，２３，２４，２５，２６に設置されるそれぞれの磁性体の磁力値を別々にすれば、それぞれのジオプターレンズに隣接する該当の磁性体ごとに異なる磁束密度を表すので、回転ディスク２０の初期位置又は回転位置に関係なく該当の磁性体によるジオプターレンズを認識することができる。
【００７０】
図５は、本発明のさらに他の実施例に係る視力回復装置の平面図であり、図６は、図５に適用された磁性体の内部を示す図である。
【００７１】
図５及び図６に示すように、本発明のさらに他の実施例に係る視力回復装置の磁性体１２は、所定長さを有する柱状に設けられるが、中空内には円周に沿ってＮ極性及びＳ極性が交互に配列され、回転ディスク１００の回転軸１１０の内周面に同軸状に固定結合され得る。ここで、磁性体１２は、所定の長さを持つ円柱形又は多角形などの様々な形状にし得る。
【００７２】
図５及び図６の構成は、図１及び図２の構成と対比すれば、所定の長さを持つ中空状の磁性体１２であり、これが回転軸１１０と同軸上に配置される以外は同じ構成であるので、重複する説明は省略する。
【００７３】
図５及び図６に示すように、円柱状の磁性体１２が適用される場合は、ハウジング内側壁に別途の突起が設けられ、該突起にセンサーモジュール１３が装着されることにより、センサーモジュール１３の設置位置は、円柱状の磁石１２の外周面から半径方向外側に離隔した位置になり得る。
【００７４】
図１及び図２と同様に、回転ディスク１００と磁性体１２が同時に回転する過程において磁性体１２とセンサーモジュール１３とが向かい合う位置にそれぞれ設置し、センサーモジュール１３の周囲に磁性体１２のＳ極性又はＮ極性が少なくとも１回交互に配列されることによって、相互近接したり遠ざかることが繰り返される過程によって磁場の方向変化を検出し、ホール電圧の変化を測定するようになる。
【００７５】
この過程で変化する電気信号はアナログ信号又はデジタル信号に変換され、この信号の変換周期を用いてセンサーモジュール１３の周囲を動く磁性体１２の極性位置を測定する。
【００７６】
上述の通り、回転ディスク１００が回転する時、センサーモジュール１３が磁性体１２の該当の極性の近接によって回転ディスク１００の基準位置情報を得ることができる。
【００７７】
すなわち、回転ディスク１００の磁性体１２の該当の極性がセンサーモジュール１３に反復的に近接する瞬間を初期位置情報として設定することによって、回転ディスク１００の反復した正逆回転がなされても、磁性体１２のいずれか一つの極性の検出位置が初期位置であることを認識させることができる。
【００７８】
一方、図６の構成によれば、センサーモジュール１３が磁性体１２の外周面から離隔して配置された構成を示しているが、センサーモジュール１３が磁性体１２の軸方向に沿う一方向に離隔して配置され、磁性体１２の交互に配置された異なる極性の磁場変化を検出してもよい。
【００７９】
なお、磁性体１２をなす複数の極性部材Ｎ，Ｓの磁力値が個別に形成されてもよく、この場合、センサーモジュール１３に隣接するいずれか一つの極性部材が、その他の極性部材と異なる磁束密度を表すので、回転ディスク２０の初期位置又は回転位置に関係なく該当の極性部材によるジオプターレンズを認識することができる。
【００８０】
前述した本発明の説明は例示のためのものであり、本発明の属する技術分野における通常の知識を有する者には、本発明の技術的思想や必須の特徴を変更することなく他の具体的な形態に容易に変形可能であるということが理解できよう。したがって、以上で記述した実施例は、いずれの面においても例示的なものであり、限定的でないものとして理解すべきである。例えば、単一形として説明されている各構成要素は分散して実施されてもよく、同様に、分散されたものとして説明されている構成要素が結合した形態で実施されてもよい。
【００８１】
本発明の範囲は、添付する特許請求の範囲によって定められ、特許請求の範囲の意味及び範囲、そしてその等価概念から導出される変更又は変形された形態はいずれも本発明の範囲に含まれるものとして解釈すべきである。
【図１】
2019537492.tif 000003
【図２】
2019537492.tif 000004
【図３】
2019537492.tif 000005
【図４】
2019537492.tif 000006
【図５】
2019537492.tif 000007
【図６】
2019537492.tif 000008
【手続補正書】
【提出日】平成31年4月23日(2019.4.23)
【手続補正１】
【補正対象書類名】特許請求の範囲
【補正対象項目名】全文
【補正方法】変更
【補正の内容】
【特許請求の範囲】
【請求項１】
視力回復装置であって、
目周囲の顔面に着用可能なように形成されたハウジングと、
前記ハウジングに装着され、それぞれ、回転ディスクと該回転ディスクに配置された磁性体を持つ一対の回転モジュールと、
それぞれの回転モジュールに配置されたレンズと、
前記磁性体の極性変化を感知するセンサーモジュールと、
を備える視力回復装置。
【請求項２】
前記回転ディスクは、前記磁性体が挿入される挿入孔を有することを特徴とする、請求項１に記載の視力回復装置。
【請求項３】
前記挿入孔の内周面は、少なくとも一つの突起部が設けられていることを特徴とする、請求項２に記載の視力回復装置。
【請求項４】
前記回転ディスクを回転可能に支持する支持フレームをさらに備え、
前記回転ディスクは、
回転軸を中心に、複数のレンズが所定の間隔で放射状に配置されていることを特徴とする、請求項１に記載の視力回復装置。
【請求項５】
前記回転ディスクは、前記複数のレンズのうち少なくともいずれか一つのレンズに対応して設けられ、前記磁性体が装着される挿入孔を有することを特徴とする、請求項４に記載の視力回復装置。
【請求項６】
前記複数のレンズに対応して複数の磁性体が配置され、
前記複数の磁性体は異なる磁力値を有し、
前記センサーモジュールは、異なる磁力値を感知して、各レンズに対応する位置を認識することを特徴とする、請求項４に記載の視力回復装置。
【請求項７】
前記磁性体は、所定長さを持つ柱状であり、円周に沿ってＮ極性及びＳ極性が少なくとも１回交互に配列されることを特徴とする、請求項１に記載の視力回復装置。
【請求項８】
前記センサーモジュールはホールセンサーからなり、前記磁性体の半径方向又は軸方向に離隔して配置されることを特徴とする、請求項７に記載の視力回復装置。
【請求項９】
前記回転ディスクを回転可能に支持する支持フレームをさらに備え、
前記磁性体は、前記回転ディスクの回転軸に同軸方向に配置されることを特徴とする、請求項７に記載の視力回復装置。
【国際調査報告】
2019537492.tif 000009
2019537492.tif 000010
2019537492.tif 000011
2019537492.tif 000012